(57)【要約】【課題】電流記入方式の画素のデータ記入時間を減少させた有機電界発光表示装置及び逆多重化部を提供する。【解決手段】本発明による有機電界発光表示装置は、伝達される出力データ電流に対応する画像を表現する複数の画素と、前記複数の画素に走査信号を伝達する複数の走査線と、前記複数の画素に前記出力データ電流を伝達する複数の出力データ線と、前記複数の走査線に前記走査信号を出力する走査駆動部と、複数の逆多重化回路を含む逆多重化部と、前記逆多重化部に入力データ電流を伝達するデータ駆動部とを備える。前記逆多重化回路は、複数の出力データ線を順次に選択し、選択された出力データ線にプリチャージ電圧を印加した後、前記入力データ電流を伝達する。【選択図】      図６
2005352477.tif 000002
【特許請求の範囲】
【請求項１】
伝達される出力データ電流に対応する画像を表現する複数の画素と、
前記複数の画素に走査信号を伝達する複数の走査線と、
前記複数の画素に前記出力データ電流を伝達する複数の出力データ線と、
前記複数の走査線に前記走査信号を出力する走査駆動部と、
複数の逆多重化回路を含む逆多重化部と、
前記逆多重化部に入力データ電流を伝達するデータ駆動部とを備え、
前記逆多重化回路は、複数の出力データ線を順次に選択し、選択された出力データ線にプリチャージ電圧を印加した後、前記入力データ電流を伝達することを特徴とする有機電界発光表示装置。
【請求項２】
前記複数の走査線は、複数の第１走査線及び複数の第２走査線を含み、
前記画素は、有機電界発光素子と、第１〜第３スイッチングトランジスタと、駆動トランジスタ及びキャパシタを含むことを特徴とする請求項１に記載の有機電界発光表示装置。
【請求項３】
前記第１スイッチングトランジスタは、前記第１走査線に印加される第１走査信号に応答して、前記キャパシタに電荷を充電し、
前記第２スイッチングトランジスタは、前記第１走査線に印加される第１走査信号に応答して、前記出力データ線に流れる出力データ電流を前記駆動トランジスタに伝達し、
前記第３スイッチングトランジスタは、前記第２走査線に印加される第２走査信号に応答して、前記駆動トランジスタに流れる電流を有機電界発光素子に伝達し、
前記キャパシタは、前記第１及び第２スイッチングトランジスタがオン状態である期間に、前記駆動トランジスタに流れる電流に対応するゲート・ソース間の電圧に相当する電荷量を充電し、前記第１及び第２スイッチングトランジスタがオフ状態である期間に、前記電圧を維持し、
前記駆動トランジスタは、前記第３スイッチングトランジスタがオン状態である期間に、前記キャパシタの第１端子と第２端子との間に生じる電圧に対応する電流を有機電界発光表示装置に供給することを特徴とする請求項２に記載の有機電界発光表示装置。
【請求項４】
前記第１スイッチングトランジスタのゲートは、前記第１走査線に接続され、ソースは、第１ノード点に接続され、ドレインは、前記出力データ線に接続され、
前記第２スイッチングトランジスタのゲートは、前記第１走査線に接続され、ソースは、第２ノード点に接続され、ドレインは、前記出力データ線に接続され、
前記第３スイッチングトランジスタのゲートは、前記第２走査線に接続され、ソースは、前記第２ノード点に接続され、ドレインは、前記有機電界発光素子に接続され、
前記キャパシタの第１端子には、電源電圧が印加され、第２端子は、前記第１ノード点に接続され、
前記駆動トランジスタのゲートは、前記第１ノード点に接続され、ソースには、電源電圧が印加され、ドレインは、前記第２ノード点に接続されることを特徴とする請求項２に記載の有機電界発光表示装置。
【請求項５】
前記第１走査線に印加される第１走査信号及び前記第２走査線に印加される第２走査信号は、周期的な信号であり、１周期は、選択期間及び発光期間を含み、
前記第１及び第２スイッチングトランジスタが、前記選択期間には、オン状態となり、前記発光期間には、オフ状態となるように、前記第１走査信号が設定され、
前記第３スイッチングトランジスタが、前記選択期間には、オフ状態となり、前記発光期間には、オン状態となるように、前記第２走査信号が設定されることを特徴とする請求項２に記載の有機電界発光表示装置。
【請求項６】
前記逆多重化回路において、
前記複数の出力データ線は、第１及び第２出力データ線を含むことを特徴とする請求項１に記載の有機電界発光表示装置。
【請求項７】
前記逆多重化回路は、第１制御信号線に印加される第１制御信号に応答して、前記入力データ電流を第１ノードに伝達する第１スイッチと、
第２制御信号線に印加される第２制御信号に応答して、プリチャージ電圧線に印加されるプリチャージ電圧を、前記第１ノードに印加する第２スイッチと、
第３制御信号線に印加される第３制御信号に応答して、前記第１ノードと前記第１出力データ線とを相互接続させる第３スイッチと、
第４制御信号線に印加される第４制御信号に応答して、前記第１ノードと前記第２出力データ線とを相互接続させる第４スイッチとを含むことを特徴とする請求項６に記載の有機電界発光表示装置。
【請求項８】
前記第１出力データ線に接続された画素と、前記第２出力データ線に接続された画素は、互いに異なる色を発光し、
前記逆多重化部に含まれたプリチャージ電圧線は、互いに接続されることを特徴とする請求項７に記載の有機電界発光表示装置。
【請求項９】
前記第１出力データ線に接続された画素と、前記第２出力データ線に接続された画素は、互いに同じ色を発光し、
前記逆多重化部に含まれたプリチャージ電圧線のうち、同じ色を発光する画素に接続された出力データ線にプリチャージ電圧を印加するプリチャージ電圧線同士が互いに接続されることを特徴とする請求項７に記載の有機電界発光表示装置。
【請求項１０】
前記プリチャージ電圧は、固定された電圧値を有することを特徴とする請求項７に記載の有機電界発光表示装置。
【請求項１１】
前記プリチャージ電圧は、前記入力データ電流に対応して変化することを特徴とする請求項７に記載の有機電界発光表示装置。
【請求項１２】
前記第１〜第４制御信号は、周期的な信号であり、１周期は、第１〜第４期間を含み、
前記第１スイッチが、前記第１及び第３期間に、オフ状態となり、前記第２及び第４期間に、オン状態となるように、前記第１制御信号が設定され、
前記第２スイッチが、前記第１及び第３期間に、オン状態となり、前記第２及び第４期間に、オフ状態となるように、前記第２制御信号が設定され、
前記第３スイッチが、前記第１及び第２期間に、オン状態となり、前記第３及び第４期間に、オフ状態となるように、前記第３制御信号が設定され、
前記第４スイッチが、前記第１及び第２期間に、オフ状態となり、前記第３及び第４期間に、オン状態となるように、前記第４制御信号が設定されることを特徴とする請求項７に記載の有機電界発光表示装置。
【請求項１３】
前記第１スイッチ及び前記第１制御信号線は、前記データ駆動部が設けられる集積回路素子に配設されることを特徴とする請求項７に記載の有機電界発光表示装置。
【請求項１４】
前記第１スイッチと、前記第２スイッチと、前記第１制御信号線及び前記第２制御信号線は、前記データ駆動部が設けられる集積回路素子に配設されることを特徴とする請求項７に記載の有機電界発光表示装置。
【請求項１５】
前記逆多重化回路は、周期的に動作し、１周期は、時系列的に切り替わる第１〜第４期間を含み、
前記逆多重化回路は、前記第１期間に、前記第１出力データ線に前記プリチャージ電圧を印加し、前記第２期間に、前記第１出力データ線に前記入力データ電流を伝達し、前記第３期間に、前記第２出力データ線に前記プリチャージ電圧を印加し、前記第４期間に、前記第２出力データ線に前記入力データ電流を伝達することを特徴とする請求項６に記載の有機電界発光表示装置。
【請求項１６】
複数の逆多重化回路と、
前記逆多重化回路に第１〜第４制御信号を印加する第１〜第４制御信号線とを含み、
前記逆多重化回路は、前記第３及び第４制御信号に応答して、第１及び第２出力データ線のうちいずれか１つを交互に選択し、前記第１及び第２制御信号に応答して、前記選択された出力データ線にプリチャージ電圧を印加した後、入力データ線から伝達される入力データ電流を伝達することを特徴とする逆多重化部。
【請求項１７】
前記第１出力データ線に接続された画素と、前記第２出力データ線に接続された画素は、互いに異なる色を発光し、
前記複数の逆多重化回路に前記プリチャージ電圧を供給するプリチャージ電圧線をさらに含むことを特徴とする請求項１６に記載の逆多重化部。
【請求項１８】
前記第１出力データ線に接続された画素と、前記第２出力データ線に接続された画素は、互いに同じ色を発光し、
複数のプリチャージ電圧線をさらに含み、
前記各プリチャージ電圧線は、同じ色を発光する画素に接続された逆多重化回路に前記プリチャージ電圧を供給することを特徴とする請求項１６に記載の逆多重化部。
【請求項１９】
前記プリチャージ電圧は、前記入力データ電流に対応して変化することを特徴とする請求項１６に記載の逆多重化部。
【請求項２０】
前記逆多重化回路は、前記第１制御信号に応答して、前記入力データ電流を第１ノードに伝達する第１スイッチと、
前記第２制御信号に応答して、前記プリチャージ電圧を前記第１ノードに印加する第２スイッチと、
前記第３制御信号に応答して、前記第１ノードと前記第１出力データ線とを相互接続させる第３スイッチと、
前記第４制御信号に応答して、前記第１ノードと前記第２出力データ線とを相互接続させる第４スイッチとを含むことを特徴とする請求項１６に記載の逆多重化部。
【請求項２１】
前記第１〜第４制御信号は、周期的な信号であり、１周期は、第１〜第４期間を含み、
前記第１スイッチが、前記第１及び第３期間に、オフ状態となり、前記第２及び第４期間に、オン状態となるように、前記第１制御信号が設定され、
前記第２スイッチが、前記第１及び第３期間に、オン状態となり、前記第２及び第４期間に、オフ状態となるように、前記第２制御信号が設定され、
前記第３スイッチが、前記第１及び第２期間に、オン状態となり、前記第３及び第４期間に、オフ状態となるように、前記第３制御信号が設定され、
前記第４スイッチが、前記第１及び第２期間に、オフ状態となり、前記第３及び第４期間に、オン状態となるように、前記第４制御信号が設定されることを特徴とする請求項２０に記載の逆多重化部。
【発明の詳細な説明】
【技術分野】
【０００１】
本発明は、有機電界発光表示装置及び逆多重化部に関する。特に、電流記入方式の画素のデータ記入時間を減少させた有機電界発光表示装置及び逆多重化部に関する。
【背景技術】
【０００２】
有機電界発光表示装置は、有機物の薄膜に陰極と陽極を通じて注入された電子と正孔が再結合（recombination）して励起子（exciton）を形成し、形成された励起子から特定の波長の光が発生する現象を利用した表示装置である。有機電界発光表示装置は、自身が発光素子を用いて構成されるので、ＬＣＤ（liquid crystal display）とは異なり、別途の光源を必要としないという特徴を有する。また、有機電界発光表示装置を構成する有機電界発光素子の輝度は、有機電界発光素子に流れる電流量により制御されるという特徴を有する。
【０００３】
有機電界発光表示装置の駆動方式としては、パッシブマトリクス方式と、アクティブマトリクス方式とがある。これらのうち、パッシブマトリクス方式は、陽極と陰極を直交するように形成し、ラインを選択して駆動する方式である。パッシブマトリクス方式による有機電界発光表示装置は、その構造が単純なので、実現が容易であるのに対して、大画面の具現時に、多くの電流量が消耗され、各発光素子を駆動できる時間が減少するという問題点がある。一方、アクティブマトリクス方式は、能動素子を用いて発光素子に流れる電流量を制御する方式である。能動素子としては、薄膜トランジスタ（Thin Film Transistor、以下ＴＦＴという）が主に用いられる。アクティブマトリクス方式は、やや複雑であるが、電流の消耗量が少なく、発光時間が長くなるという長所がある。
【０００４】
以下、図１及び２を参照して、従来の技術による有機電界発光表示装置を説明する。
【０００５】
図１は、従来の技術によるアクティブマトリクス方式のｎ×ｍ有機電界発光表示装置を示す図である。
【０００６】
図１を参照すれば、有機電界発光表示装置は、有機電界発光表示装置のパネル１１と、走査駆動部１２及びデータ駆動部１３を含む。有機電界発光表示装置のパネル１１は、ｎ×ｍ個の画素１４と、横方向に形成されたｎ個の走査線SCAN[1]，SCAN[2]，・・・，SCAN[n]、及び縦方向に形成されたｍ個のデータ線DATA[1]，DATA[2]，・・・，DATA[m]を含む。走査線SCAN1は、走査信号を画素１４に伝達する。データ線DATAは、データ電圧を画素１４に伝達する。走査駆動部１２は、走査線SCANに走査信号を印加する。データ駆動部１３は、データ線DATAにデータ電圧を印加する。
【０００７】
図２は、図１の有機電界発光表示装置に用いられた画素の回路図である。図２を参照すれば、有機電界発光表示装置の画素は、有機電界発光素子OLEDと、駆動トランジスタＭＤと、キャパシタＣ及びスイッチングトランジスタＭＳを含む。駆動トランジスタＭＤは、キャパシタの両端子間に生じた電圧に対応する電流を有機電界発光素子OLEDに供給する。キャパシタＣは、駆動トランジスタＭＤのソースとゲートとの間に接続され、スイッチングトランジスタＭＳを介して印加されるデータ電圧を一定期間維持する。
【０００８】
このような構成によれば、先ず、スイッチングトランジスタＭＳのゲートに印加される走査信号によりスイッチングトランジスタＭＳがオンとなると、データ線を介して印加されたデータ電圧がキャパシタＣに蓄積される。その後、スイッチングトランジスタＭＳがオフとなると、キャパシタＣに蓄積されたデータ電圧に対応する電流が、駆動トランジスタＭＤを介して有機電界発光素子OLEDに電流が流されて発光がなされる。
【０００９】
この際、有機電界発光素子に流れる電流は、以下の（１）式で示される通りである。
【００１０】
ＩOLED＝ＩD＝（β/２）（ＶGS−ＶTH）２
＝（β／２）（ＶDD−ＶDATA−｜ＶTH｜）２   ・・・（１）
ここで、ＩOLEDは有機電界発光素子OLEDに流れる電流、ＩDは駆動トランジスタのソースからドレイン方向に流れる電流、ＶGSは駆動トランジスタＭＤのゲートとソース間の電圧、ＶTHは駆動トランジスタＭＤの閾値電圧、ＶDDは電源電圧、ＶDATAはデータ電圧、βは利得係数を示す。
【００１１】
上述した従来の技術による有機電界発光表示装置は、データ駆動部１３が直接ピクセルのデータ線DATAに接続されている。したがって、データ線DATAの数が増加すれば、データ駆動部１３の複雑度がデータ線DATAの数に比例して増加するようになる。また、データ駆動部１３が有機電界発光表示装置のパネル１１とは別途のチップで実現される場合には、データ線DATAの数が増加すれば、データ駆動部１３のピン数と、データ駆動部１３と有機電界発光表示装置のパネル１１とを接続させる配線の数が増加してしまう。これは、多くの費用と空間を必要とするという問題点がある。
【００１２】
また、従来の技術による有機電界発光表示装置に用いられた画素は、印加されるデータ電圧に対応する電流が有機電界発光素子OLEDに供給され、有機電界発光素子OLEDに供給される電流に対応して、有機電界発光素子OLEDが発光する方式で動作する。ここで、製造工程の不均一性により生じる駆動トランジスタＭＤの閾値電圧ＶTHの偏差に起因して、均一な明るさの画面を得ることが難しいという問題点がある。すなわち、同一のデータ電圧が供給される場合であっても、有機電界発光表示装置を構成する一部の画素は、低い閾値電圧の絶対値｜ＶTH｜を有するので、明るい光を発光するようになり、他の画素は、高い閾値電圧の絶対値｜ＶTH｜を有するので、暗い光を発光するようになるので、画面の明るさが均一にならない。
【特許文献１】韓国特許公開第２００２−０２９６６７３号
【特許文献２】韓国特許公開第２００２−００８７３５７号
【特許文献３】韓国特許公開第２００２−０２５０４１２号
【特許文献４】特開２００１−２９６４７９号公報
【発明の開示】
【発明が解決しようとする課題】
【００１３】
本発明は、上述の問題点を解決するためになされたもので、本発明の目的は、閾値電圧の偏差によらず、均一な画面を得ることができる電流記入方式の画素回路と、データ駆動部と有機電界発光表示装置のパネルとの間に位置する逆多重化部とを含み、データ記入に所要される時間を減少させた有機電界発光表示装置及びこれに用いられる逆多重化部を提供することにある。
【課題を解決するための手段】
【００１４】
前記目的を達成するために、本発明の第１様態による有機電界発光表示装置は、伝達される出力データ電流に対応する画像を表現する複数の画素と、前記複数の画素に走査信号を伝達する複数の走査線と、前記複数の画素に前記出力データ電流を伝達する複数の出力データ線と、前記複数の走査線に前記走査信号を出力する走査駆動部と、複数の逆多重化回路を含む逆多重化部と、前記逆多重化部に入力データ電流を伝達するデータ駆動部とを備える。前記逆多重化回路は、複数の出力データ線を順次に選択し、選択された出力データ線にプリチャージ電圧を印加した後、前記入力データ電流を伝達する。
【００１５】
また、本発明の第２様態による逆多重化部は、複数の逆多重化回路と、前記逆多重化回路に第１〜第４制御信号を印加する第１〜第４制御信号線とを含む。前記逆多重化回路は、前記第３及び第４制御信号に応答して、第１及び第２出力データ線のうちいずれか１つを交互に選択し、前記第１及び第２制御信号に応答して、前記選択された出力データ線にプリチャージ電圧を印加した後、入力データ線から伝達される入力データ電流を伝達する。
【発明の効果】
【００１６】
本発明は、閾値電圧の偏差にも拘らず、均一な画面を得ることができる電流記入方式の画素回路と、データ駆動部と有機電界発光表示装置のパネルとの間に位置した逆多重化部とを使用し、データ記入に所要される時間を減少させることができるという効果が得られる。
【発明を実施するための最良の形態】
【００１７】
以下、図３〜図１０を参照して、本発明の第１実施例による有機電界発光表示装置を説明する。
【００１８】
図３は本発明の第１実施例によるｎ×２ｍアクティブマトリクス方式の有機電界発光表示装置の回路図である。
【００１９】
図３を参照すれば、有機電界発光表示装置は、有機電界発光表示装置のパネル２１と、走査駆動部２２と、データ駆動部２３及び逆多重化部２４を含む。
【００２０】
有機電界発光表示装置のパネル２１は、ｎ×２ｍ個の画素２５と、横方向に形成されたｎ個の第１走査線SCAN1[1]，SCAN1[2]，・・・，SCAN1[n]と、ｎ個の第２走査線SCAN2[1]，SCAN2[2]，・・・，SCAN2[n]、及び縦方向に形成された２ｍ個の出力データ線Dout1[1]，Dout2[1]，・・・，Dout1[m]，Dout2[m]を含む。第１及び第２走査線SCAN1，SCAN2は、第１及び第２走査信号を画素２５に伝達する。出力データ線Dout1，Dout2は、出力データ電流を画素２５に伝達する。画素２５は、電流記入方式で動作する。
【００２１】
具体的に説明すれば選択期間に、出力データ線Dout1，Dout2に流れる電流に対応する電圧をキャパシタ（図示せず）に記録しておき、発光期間に、前記キャパシタの電圧に対応する電流を有機電界発光素子（図示せず）に供給する方式で動作する。
【００２２】
走査駆動部２２は、第１及び第２走査線SCAN1，SCAN2に第１及び第２走査信号を印加する。
【００２３】
データ駆動部２３は、ｍ個の入力データ線Din[1]，Din[2]，・・・，Din[m]に入力データ電流を伝達する。
【００２４】
逆多重化部２４は、入力データ電流を伝達され、逆多重化した出力データ電流を２ｍ個の出力データ線Dout1[1]，Dout2[1]，・・・，Dout1[m]，Dout2[m]に伝達する。逆多重化部２４は、ｍ個の逆多重化回路（図示せず）を有する。各逆多重化回路は、１：２逆多重化回路なので、１つの入力データ線Dinに伝達された入力データ電流が逆多重化され、２つの出力データ線Dout1，Dout2に伝達される。
【００２５】
このように、本発明の第１実施例による有機電界発光表示装置は、逆多重化部２４を有機電界発光表示装置のパネル２１とデータ駆動部２３との間に配置することによって、少ない数の出力を有するデータ駆動部２３を使用して、多くの列を有する有機電界発光表示装置のパネル２１を駆動することことができる。したがって、データ駆動部２３の複雑度及び入力データ線Dinの数が減少し、費用と空間を節減できる。
【００２６】
図４は、図３の有機電界発光表示装置に用いられた各画素の回路図である。図示された画素は、電流記入方式で動作する画素の１つである。
【００２７】
図４を参照すれば、画素は、有機電界発光素子OLED及び画素回路を含む。画素回路は、駆動トランジスタＭＤと、第１〜第３スイッチングトランジスタＭＳ１、ＭＳ２、ＭＳ３及びキャパシタＣを含む。駆動トランジスタＭＤ及び第１〜第３スイッチングトランジスタＭＳ１、ＭＳ２、ＭＳ３は、それぞれ、ゲート、ソース及びドレインを有する。キャパシタＣは、第１端子及び第２端子を有する。
【００２８】
第１スイッチングトランジスタＭＳ１のゲートは、第１走査線SCAN1に接続され、ソースは第１ノード点Ｎ１１に接続され、ドレインは出力データ線Doutに接続される。第１スイッチングトランジスタＭＳ１は、第１走査線SCAN1に印加される第１走査信号に応答して、キャパシタＣに電荷を充電する機能を果たす。
【００２９】
第２スイッチングトランジスタＭＳ２のゲートは、第１走査線SCAN1に接続され、ソースは第２ノード点Ｎ１２に接続され、ドレインは出力データ線Doutに接続される。第２スイッチングトランジスタＭＳ２は、第１走査線SCAN1に印加される第１走査信号に応答して、出力データ線Doutに流れる出力データ電流ＩDoutを駆動トランジスタＭＤに伝達する機能を果たす。
【００３０】
第３スイッチングトランジスタＭＳ３のゲートは、第２走査線SCAN2に接続され、ソースは第２ノード点Ｎ１２に接続され、ドレインは有機電界発光素子OLEDに接続される。第３スイッチングトランジスタＭＳ３は、第２走査線SCAN2に印加される第２走査信号に応答して、駆動トランジスタＭＤに流れる電流を有機電界発光素子OLEDに供給する機能を果たす。
【００３１】
キャパシタＣの第１端子には、電源電圧ＶDDが印加され、第２端子は、第１ノード点Ｎ１１に接続される。キャパシタＣは、第１及び第２スイッチングトランジスタＭＳ１、ＭＳ２がオン状態の期間に、駆動トランジスタＭＤに流れる出力データ電流ＩDoutに対応するゲート・ソース間の電圧ＶGSに相当する電荷量を充電し、第１及び第２スイッチングトランジスタＭＳ１、ＭＳ２がオフ状態の期間に、前記電圧を維持する機能を果たす。
【００３２】
駆動トランジスタＭＤのゲートは、第１ノード点Ｎ１１に接続され、ソースには電源電圧が印加され、ドレインは第２ノード点Ｎ１２に接続される。駆動トランジスタＭＤは、第３スイッチングトランジスタＭＳ３がオン状態の期間に、キャパシタの第１端子と第２端子との間に生じる電圧に対応する電流を有機電界発光素子OLEDに供給する機能を果たす。
【００３３】
図５は、図４の画素回路を駆動するためのSCAN信号のタイミングチャートである。図５には、第１及び第２走査信号scan1，scan2が示されている。
【００３４】
図４及び図５を参照して、画素回路の動作を説明すれば、第１走査信号scan1がローであり、第２走査信号scan2がハイである選択期間には、第１及び第２スイッチングトランジスタＭＳ１、ＭＳ２がオン状態となり、第３スイッチングトランジスタＭＳ３は、オフ状態となる。この期間に、出力データ線Doutに流れる出力データ電流ＩDoutが駆動トランジスタＭＤに伝達される。以下に示す（２）式により、駆動トランジスタＭＤのゲート・ソース間の電圧ＶGSが決定され、ゲート・ソース間の電圧ＶGSに相当する電荷がキャパシタＣに充電される。
【００３５】
ＩD＝ＩDout＝（β／２）（ＶGS−ＶTH）２   ・・・（２）
第１走査信号scan1がハイであり、第２走査信号scan2がローである発光期間には、第３スイッチングトランジスタＭＳ３がオン状態となり、第１及び第２スイッチングトランジスタＭＳ１、ＭＳ２は、オフ状態となる。選択期間にキャパシタＣに充電された電荷が発光期間の間に維持されるので、選択期間に定められたキャパシタＣの第１端子と第２端子間の電圧、すなわち駆動トランジスタＭＤのゲート・ソース間の電圧が発光期間の間に維持される。駆動トランジスタＭＤに流れる電流ＩDは、（２）式に示されたように、ソース・ドレイン間の電圧ＶGSにより決定されるので、選択期間に駆動トランジスタに流れる出力データ電流ＩDoutが発光期間にも駆動トランジスタＭＤに流れるようになる。したがって、有機電界発光素子OLEDに流れる電流ＩOLEDは、（３）式で示された通りである。
【００３６】
ＩOLED＝ＩD＝ＩDout   ・・・（３）
前記（３）式で示された通り、図４に示された画素の有機電界発光素子OLEDに流れる電流ＩOLEDは、出力データ電流ＩDoutと同一であるので、有機電界発光素子OLEDに流れる電流ＩOLEDは、駆動トランジスタＭＤの閾値電圧の影響を受けない。すなわち、上記の画素回路を使用すれば、駆動トランジスタＭＤの閾値電圧の影響を受けないので、画素間の輝度不均一性の問題が改善された有機電界発光表示装置を実現することができる。
【００３７】
しかしながら、電流記入方式の画素回路は、出力データ線Doutに接続された寄生キャパシタを充放電しなければならないので、データ記入に多くの時間が所要されるという問題点がある。具体的に説明すれば、出力データ電流ＩDoutが変化すれば、これに対応して、第１ノードＮ１の電圧が変化しなければならないし、第１ノードＮ１の電圧が変化するためには、出力データ線Doutの電圧が変化しなければならないが、出力データ線Doutには、寄生キャパシタが存在するので、これを充放電するのに多くの時間が所要される。したがって、出力データ電流ＩDoutに対応する電圧をキャパシタが蓄積するのに所要される時間、すなわちデータ記入に所要される時間が長くなる。このような現象は、出力データ電流ＩDoutの変化量が大きいほど、また、寄生キャパシタが大きいほど、更に、出力データ電流ＩDoutが小さいほど、一層顕著に現れる。
【００３８】
図６は、図３の有機電界発光表示装置に用いられた逆多重化部２４の回路の第１例を示す図である。
【００３９】
図６において、逆多重化部は、ｍ個の逆多重化回路３１を有する。各逆多重化回路３１は、第１及び第２出力データ線Dout1，Dout2を交互に選択し、選択された出力データ線Dout1又はDout2にプリチャージ電圧Ｖpreを印加した後、入力データ線Dinに伝達された入力データ電流を伝達する。具体的に説明すれば各逆多重化回路３１は、第１及び第２出力データ線Dout1，Dout2を交互に選択し、選択された出力データ線Dout1又はDout2に、入力データ線Dinに伝達された入力データ電流を伝達する方式で逆多重化を行う。この際、選択された出力データ線Dout1又はDout2に入力データ電流を伝達する前に、選択された出力データ線Dout1又はDout2に先ずプリチャージ電圧を印加する。選択されていない出力データ線Dout1又はDout2は、開放されているので、電流が流れない。
【００４０】
各逆多重化回路３１は、第１〜第４スイッチＳＷ１〜ＳＷ４を含み、入力データ線Din、プリチャージ電圧線Pre、第１及び第２出力データ線Dout1，Dout2、及び第１〜第４制御信号線Ｄ、Ｐ、Ｓ１、Ｓ２に接続される。第１スイッチＳＷ１は、第１制御信号線Ｄに印加される第１制御信号に応答して、入力データ線Dinに伝達される入力データ電流を第１ノードＮ１に伝達する。第２スイッチＳＷ２は、第２制御信号線Ｐに印加される第２制御信号に応答して、プリチャージ電圧線Preに印加されるプリチャージ電圧Ｖpreを第１ノードＮ１に印加する。第３スイッチＳＷ３は、第３制御信号線Ｓ１に印加される第３制御信号に応答して、第１ノードＮ１と第１出力データ線Dout1とを相互接続させる。第４スイッチＳＷ４は、第４制御信号線Ｓ２に印加される第４制御信号に応答して、第１ノードＮ１と第２出力データ線Dout2とを相互接続させる。なお、逆多重化回路３１の構成において、第１スイッチＳＷ１及び第１制御信号線Ｄは使用しなくてもよい。この場合には、入力データ線Dinは、スイッチを経由せずに、第１ノードＮ１に接続される。
【００４１】
図面においては、全ての逆多重化回路３１に同じプリチャージ電圧線Preが接続されているが、各逆多重化回路３１に他のプリチャージ電圧を印加できるように、各逆多重化回路３１毎に別途のプリチャージ電圧線を使用する方式の回路構成も可能である。また、プリチャージ電圧Ｖpreは、固定された電圧値を有することもでき、経時的に変化する電圧値を有することもできる。プリチャージ電圧Ｖpreが経時的に変化する場合には、入力データ電流ＩDinを参照してプリチャージ電圧が決定されることもあり得る。
【００４２】
図示された逆多重化部の中で、第１及び第２スイッチＳＷ１、ＳＷ２及び第１及び第２制御信号線Ｄ、Ｐは、集積回路素子に設けられ、第３及び第４スイッチＳＷ３、ＳＷ４及び第３及び第４制御信号線Ｓ１、Ｓ２は、図３の有機電界発光表示装置のパネル２１が設けられた、ガラスなどよりなる基板（図示せず）に配置することができる。また、逆多重化部の中で、第１スイッチＳＷ１及び第１制御信号線Ｄは、集積回路素子に設けられ、第２〜第４スイッチＳＷ２、ＳＷ３、ＳＷ４及び第２〜第４制御信号線Ｐ、Ｓ１、Ｓ２は、前記基板に設けることができる。また、逆多重化部の全体を前記基板に設けることもできる。この場合には、データ駆動部が前記基板に設けられる。
【００４３】
図７は、図６の逆多重化回路の各入出力信号及び図３の第１走査信号のフローチャートである。
【００４４】
図７には、入力データ電流ＩDin、第１〜第４制御信号ｄ、ｐ、ｓ１、ｓ２、第１ノード信号ｎ１、第１及び第２出力データ信号dout1，dout2及び第１走査信号scan1が示されている。説明の便宜のために、図６の逆多重化回路３１において、第１及び第２スイッチＳＷ１、ＳＷ２は、第１及び第２制御信号ｄ、ｐがハイ状態である場合、オン状態となり、第１及び第２制御信号ｄ、ｐがロー状態である場合、オフ状態となる方式で動作するものと仮定する。これと反対に、第３及び第４スイッチＳＷ３、ＳＷ４は、第３及び第４制御信号ｓ１、ｓ２がハイ状態である場合、オフ状態となり、第３及び第４制御信号ｓ１、ｓ２がロー状態である場合、オン状態となる方式で動作するものと仮定する。
【００４５】
図３、図６及び図７を参照すれば、第１制御信号ｄがロー状態であり、第２制御信号ｐがハイ状態である期間には、第１制御信号線Ｄに印加されるロー状態である第１制御信号ｄに応答して、第１スイッチＳＷ１はオフ状態となり、第２制御信号線Ｐに印加されるハイ状態である第２制御信号ｐに応答して、第２スイッチＳＷ２は、オン状態となり、第１ノードＮ１には、プリチャージ電圧Ｖpreが印加される。第１制御信号ｄがハイ状態であり、第２制御信号ｐがロー状態である期間には、第１スイッチＳＷ１は、オン状態となり、第２スイッチＳＷ２は、オフ状態となり、第１ノードＮ１には、入力データ電流ＩDinが伝達される。このように動作することによって、第１ノード信号ｎ１は、交互に繰り返されるプリチャージ電圧Ｖpre及び入力データ電流ＩDinとなる。
【００４６】
第３制御信号ｓ１がロー状態であり、第４制御信号ｓ２がハイ状態である期間には、第３制御信号線Ｓ１に印加されるロー状態である第３制御信号ｓ１に応答して、第３スイッチＳＷ３は、オン状態となり、第４制御信号線Ｓ２に印加されるハイ状態である第４制御信号ｓ２に応答して、第４スイッチＳＷ４は、オフ状態となる。この期間に、第１出力データ線Dout1は、第１ノードＮ１と相互接続されて、第１ノード信号ｎ１を出力し、第２出力データ線Dout2は、開放されて、０Ａ（アンペア）の電流を出力する。第３制御信号ｓ１がハイ状態であり、第４制御信号ｓ２がロー状態である期間には、第３スイッチＳＷ３は、オフ状態となり、第４スイッチＳＷ４は、オン状態となる。この期間に、第１出力データ線Dout1は、開放されて、０Ａ(アンペア)の電流を出力し、第２出力データ線Dout2は、第１ノードＮ１と相互接続されて、第１ノード信号ｎ１を出力する。このように動作することによって、第１及び第２出力データ線Dout1，Dout2のいずれか１つが選択され、選択された出力データ線には、入力データ電流ＩDinが伝達され、選択されていない出力データ線には、０Ａ(アンペア)の電流が流れる。そして、選択された出力データ線に入力データ電流ＩDinが伝達される前に、先にプリチャージ電圧Ｖpreが印加される。
【００４７】
上述の内容を別の角度で表わせば、第１〜第４制御信号ｄ、ｐ、ｓ１、ｓ２は、周期的な信号であり、１周期は、第１〜第４期間を含む。第１期間には、第１制御信号ｄは、ロー状態、第２制御信号ｐは、ハイ状態、第３制御信号ｓ１は、ロー状態、第４制御信号ｓ２は、ハイ状態にある。この期間に、第１出力データ線Dout1にプリチャージ電圧が印加され、第２出力データ線Dout2に０Ａの電流が伝達される。第２期間には、第１制御信号ｄは、ハイ状態、第２制御信号ｐは、ロー状態、第３制御信号ｓ１は、ロー状態、第４制御信号ｓ２は、ハイ状態にある。この期間に、第１出力データ線Dout1に入力データ電流ＩDinが伝達され、第２出力データ線Dout2に０Ａの電流が伝達される。第３期間には、第１制御信号ｄは、ロー状態、第２制御信号ｐは、ハイ状態、第３制御信号ｓ１は、ハイ状態、第４制御信号ｓ２は、ロー状態にある。この期間に、第１出力データ線Dout1に０Ａの電流が伝達され、第２出力データ線Dout2にプリチャージ電圧が印加される。第４期間には、第１制御信号ｄは、ハイ状態、第２制御信号ｐは、ロー状態、第３制御信号ｓ１は、ハイ状態、第４制御信号ｓ２は、ロー状態にある。この期間に、第１出力データ線Dout1に０Ａの電流が伝達され、第２出力データ線Dout2に入力データ電流ＩDinが伝達される。
【００４８】
第１走査信号scan1による画素の動作を調べて見れば、第１行の第１走査線SCAN1[1]に印加される第１走査信号scan1[1]がロー状態である期間には、第１及び第２出力データ線Dout1，Dout2に出力される信号が、第１行に位置した画素に伝達される。第１行に位置した画素の中で、第１出力データ線Dout1に接続された画素は、入力データ線Dinから伝達された電流ａ１に対応する電圧を蓄積した後、発光期間に蓄積された電圧に対応して、発光を行う。第１行に位置した画素の中で、第２出力データ線Dout2に接続された画素へは、入力データ線Dinから０Ａの電流が伝達されるので、発光期間に発光を行わずに、ブラック状態にあることになる。
【００４９】
図面においては、第１行の第１走査信号scan1[1]がロー状態となる前に、第１出力データ線Dout1にプリチャージ電圧Ｖpreが印加される方式が示されているが、第１行の第１走査信号scan1[1]がロー状態となった後に、第１出力データ線Dout1にプリチャージ電圧Ｖpreが印加されることもあり得る。この場合には、第１出力データ線Dout1のみならず、第１行に位置し、第１出力データ線Dout1に接続された画素にもプリチャージ電圧Ｖpreが印加される。
【００５０】
第２行の第１走査線SCAN1[2]に印加される第１走査信号scan1[2]がロー状態である期間には、第１及び第２出力データ線Dout1，Dout2に出力される信号が第２行に位置した画素に伝達される。第２行に位置した画素の中で、第１出力データ線Dout1に接続された画素へは、入力データ線Dinから０Ａの電流が伝達されるので、発光期間に発光を行わずに、ブラック状態にあるようになる。第２行に位置した画素の中で、第２出力データ線Dout2に接続された画素は、入力データ線Dinから伝達された電流ｂ２に対応する電圧を蓄積した後、発光期間に蓄積された電圧に対応して、発光を行う。第２行の第１走査信号scan1[2]がロー状態となる前に、第２出力データ線Dout2にプリチャージ電圧Ｖpreが印加される。
【００５１】
同じ方式で、第３行に位置した画素の中で、第１出力データ線Dout1に接続された画素は、入力データ線Dinから伝達された電流ａ３に対応して、発光を行い、第２出力データ線Dout2に接続された画素は、ブラック状態にあることになる。第３行の第１走査信号scan1[3]がロー状態となる前に、第１出力データ線Dout1にプリチャージ電圧Ｖpreが印加される。第４行に位置した画素の中で、第１出力データ線Dout1に接続された画素は、ブラック状態にあることになり、第２出力データ線Dout2に接続された画素は、入力データ線Dinから伝達された電流ｂ４に対応して、発光を行う。第４行の第１走査信号scan1[4]がロー状態となる前に、第２出力データ線Dout2にプリチャージ電圧Ｖpreが印加される。また、第５行に位置した画素の中で、第１出力データ線Ｄout1に接続された画素は、入力データ線Dinから伝達された電流ａ５に対応して、発光を行い、第２出力データ線Dout2に接続された画素は、ブラック状態にあることになる。第５行の第１走査信号scan1[5]がロー状態となる前に、第１出力データ線Dout1にプリチャージ電圧Ｖpreが印加される。
【００５２】
このように動作する逆多重化部は、出力データ線Dout1，Dout2に入力データ電流ＩDinを伝達する前に、先にプリチャージ電圧Ｖpreを印加することによって、出力データ線Doutに存在する寄生キャパシタの充放電時間を減少させることができる。したがって、出力データ線Doutに接続された画素にデータ記入を行うのに所要される時間を減少させることができる。また、第１行の第１走査信号scan1[1]がローである期間と、第２行の第１走査信号scan1[2]がローである期間との間の期間を、プリチャージ電圧を印加するのに使用することによって、プリチャージのために別途の時間が追加的に所要されないという長所がある。
【００５３】
図８及び図９は、図７に示された信号により動作する有機電界発光表示装置の奇数番目のフレーム及び偶数番目のフレームにおいての各画素の点滅状態が示された図である。奇数番目のフレームにおいての各画素の点滅状態が示された図８を参照すれば、第１出力データ線Dout1に接続された画素の中で、奇数番目の行の画素は、発光を行い、偶数番目の行の画素は、ブラック状態にある。そして、第２出力データ線Dout2に接続された画素の中で、奇数番目の行の画素は、ブラック状態にあり、偶数番目の行の画素は、発光を行う。これに対して、偶数番目のフレームにおいての各画素の点滅状態が示された図９を参照すれば、第１出力データ線Dout1に接続された画素の中で、奇数番目の行の画素は、ブラック状態にあり、偶数番目の行の画素は、発光を行う。そして、第２出力データ線Dout2に接続された画素の中で、奇数番目の行の画素は、発光を行い、偶数番目の行の画素は、ブラック状態にある。奇数番目のフレームの点滅状態は、図７に示された信号そのままで得られ、偶数番目のフレームの点滅状態は、図７に示された信号から第３及び第４制御信号を相互交替した信号によって得られる。
【００５４】
図１０は、図３の有機電界発光表示装置に用いられた逆多重化部２４の回路の第２例を示す図である。
【００５５】
図１０において、逆多重化部は、ｍ個の逆多重化回路３２Ｒ、３２Ｇ、３２Ｂを有する。各逆多重化回路３２Ｒ、３２Ｇ、３２Ｂは、図６に示された逆多重化回路と同様の構成を有し、同じ機能を果たす。図１０に示された逆多重化回路３２Ｒ、３２Ｇ、３２Ｂは、図６に示された逆多重化回路とは違って、各逆多重化回路の第１及び第２出力データ線Dout1，Dout2は、同一色を発光する画素に接続される。具体的に説明すれば参照符号３２Ｒで示される逆多重化回路の第１及び第２出力データ線Dout1，Dout2は、赤画素に接続され、参照符号３２Ｇで示される逆多重化回路の第１及び第２出力データ線Dout1，Dout2は、緑画素に接続され、参照符号３２Ｂで示される逆多重化回路の第１及び第２出力データ線Dout1，Dout2は、青画素に接続される。
【００５６】
また、図１０に示された逆多重化回路３２Ｒ、３２Ｇ、３２Ｂは、図６に示された逆多重化回路とは 違って、３つのプリチャージ電源線PreR，PreG，PreBを使用する。具体的に説明すれば赤のプリチャージ電源線PreRは、赤画素に接続された逆多重化回路３２Ｒにプリチャージ電圧ＶpreRを供給し、緑のプリチャージ電源線PreGは、緑画素に接続された逆多重化回路３２Ｇにプリチャージ電圧ＶpreGを供給し、青のプリチャージ電源線PreBは、青画素に接続された逆多重化回路３２Ｂにプリチャージ電圧ＶpreBを供給する。このような構成により、赤画素、緑画素及び青画素に、互いに異なるプリチャージ電圧を供給することができる。具体的に説明すれば赤画素、緑画素及び青画素は、互いに異なるプリチャージ電圧を要求することができ、これに応じて、互いに異なるプリチャージ電圧を供給することができる。各プリチャージ電圧ＶpreＲ，ＶpreG，ＶpreBは、一定の電圧値を維持することもでき、経時的に電圧値が変化することもあり得る。
【００５７】
以上、添付の図面を参照しながら本発明の好適な実施例について説明したが、前記説明は単に本発明を説明するための目的であり、意味限定や請求の範囲に記載された本発明の範囲を制限するためのものではない。したがって、前記説明によって当業者であれば、本発明の技術思想を逸脱しない範囲で各種の変更および修正が可能であることはいうまでもない。一例として、本発明の実施例では１：２逆多重化回路を用いた実施例のみを説明したが、本発明の属する技術における通常の知識を有する者であれば、本発明の技術思想が１：３、１：４などの多様な逆多重化回路を用いた場合にも適用可能であることは分かるであろう。
【産業上の利用可能性】
【００５８】
データの書き込み速度を速める上で、極めて有用である。
【図面の簡単な説明】
【００５９】
【図１】従来の技術によるアクティブマトリクス方式のｎ×ｍ有機電界発光表示装置を示す図である。
【図２】図１の有機電界発光表示装置に用いられた画素の回路図である。
【図３】本発明の第１実施例によるｎ×２ｍアクティブマトリクス方式の有機電界発光表示装置の回路図である。
【図４】図３の有機電界発光表示装置に用いられた画素の回路図である。
【図５】図４の画素回路を駆動するためのSCAN信号のタイミングチャートである。
【図６】図３の有機電界発光表示装置に用いられた逆多重化部の回路の第１例を示す図である。
【図７】図６の逆多重化回路の入出力信号及び図３の第１走査信号のタイミングチャートである。
【図８】図７に示された信号により動作する有機電界発光表示装置の奇数番目のフレームの各画素の点滅状態が示された図である。
【図９】図７に示された信号により動作する有機電界発光表示装置の偶数番目のフレームの各画素の点滅状態が示された図である。
【図１０】図３の有機電界発光表示装置に用いられた逆多重化部の回路の第２例を示す図である。
【符号の説明】
【００６０】
２１  有機電界発光表示装置のパネル
２２  走査駆動部
２３  データ駆動部
２４  逆多重化部
２５  画素
【図１】
2005352477.tif 000003
【図２】
2005352477.tif 000004
【図３】
2005352477.tif 000005
【図４】
2005352477.tif 000006
【図５】
2005352477.tif 000007
【図６】
2005352477.tif 000008
【図７】
2005352477.tif 000009
【図８】
2005352477.tif 000010
【図９】
2005352477.tif 000011
【図１０】
2005352477.tif 000012